(57)【要約】【課題】地上から立ち上げられた気中用ケーブルを収納させるダクトの構成を簡素化した電圧調整機能を有するエレファント形変圧器を提供する。【解決手段】タンク２内に収容された変圧器本体１から引き出された口出線５と、地上から立ち上げられた気中用ケーブル６とが貫通ブッシング７を介して接続され、気中用ケーブルを収納したダクト８がタンクの側壁側２ａに設けられる。変圧器本体の上部に電圧調整を行うための無電圧タップ切換器４が設けられ、かつ、変圧器本体とタンクの内壁と無電圧タップ切換器とにより変圧器本体の上部に形成される空間に貫通ブッシングの変圧器側部を収納するように貫通ブッシングが前記タンクの側壁を貫通して取り付けられる。ダクトの壁面の一部がタンクの側壁と共用するようにダクトが形成され、ダクトがタンクの側壁に直接取り付けられる。【選択図】図１
2006269873.tif 000002
【特許請求の範囲】
【請求項１】
タンク内に収容された変圧器本体から引き出された口出線と、地上から立ち上げられた気中用ケーブルとが貫通ブッシングを介して接続され、前記気中用ケーブルを収納したダクトが前記タンクの側壁側に設けられたエレファント形変圧器において、
前記変圧器本体の上部に電圧調整を行うための無電圧タップ切換器が設けられ、かつ、前記変圧器本体と前記タンクの内壁と前記無電圧タップ切換器とにより前記変圧器本体の上部に形成される空間に前記貫通ブッシングの変圧器側部を収納するように前記貫通ブッシングが前記タンクの側壁を貫通して取り付けられ、
前記ダクトの壁面の一部が前記タンクの側壁と共用するように前記ダクトが形成され、
前記ダクトが前記タンクの側壁に直接取り付けられたエレファント形変圧器。
【発明の詳細な説明】
【技術分野】
【０００１】
本発明は、変圧器本体を収容するタンクの側壁側に設けられたダクトを有するエレファント形変圧器に関するものである。
【背景技術】
【０００２】
エレファント形変圧器は、電力用変圧器に採用される場合が多々あり、タンク内の変圧器本体の上部に変圧器として無駄な空間を設けないように構成されており、このような構成では大きなサイズであるブッシングがタンクに直接取り付けられないために、タンクから離隔されて設けられている。例えば、タンクの上部側壁から横方向に延出させて設けられたブッシングポケット内に収納されている。
【０００３】
図２は従来のエレファント形変圧器の概略構成図である。図示するように、変圧器本体１がタンク２′内に充填された絶縁油３と共に収容されている。この変圧器本体１は鉄心１ａ、コイル１ｂ等から構成されている。
【０００４】
タンク２′の側壁２ａ′には、変圧器本体１から引き出された３つの口出線５（図示では１つ）と、地上から立ち上げられた３つの気中用ケーブル６（図示では１つ）とが３つの貫通ブッシング７（図示では１つ）を介してそれぞれ接続され、この３つの気中用ケーブル６及び３つの貫通ブッシング７を一括収納させるダクト８′が取り付けられており、このダクト８′はブッシングポケット部８ａ′とケーブル収納ダクト部と８ｂ′から構成されている。
【０００５】
ブッシングポケット部８ａ′は例えば、開口部が矩形状の筒体からなっており、その一端に形成された第１の開口部８a1′がタンク２′に形成された矩形状の開口部２ａ′と連通するように、タンク２′に溶接により取り付けられている。
【０００６】
ブッシングポケット部８ａ′の他端に形成された矩形状の第２の開口部８a2′には、貫通状態で取り付けられた３つの貫通ブッシング７を支持する１つの板状のブッシング支持部材９′が取り付けられており、そのタンク２′側の面と第２の開口部８a2′とが溶接されている。このブッシングポケット部８ａ′は、貫通ブッシング７の変圧器側部７ａがほぼ収納されるように形成されており、その変圧器側部７ａは絶縁油３中に浸されている。
【０００７】
ケーブル収納ダクト部８ｂ′は例えば、直方体状に形成されており、タンク２′側の面の上部に形成されると共に、周縁にフランジが形成された矩形状の第１の開口部８b1′がブッシング支持部材９′の外側の面にボルト締めによりフランジ結合されて取り付けられている。このケーブル収納ダクト部８ｂ′の内部は気中になっている。なお、フランジには図示しないボルト貫通孔が適宜の間隔で設けられている。
【０００８】
ケーブル収納ダクト部８ｂ′の地面側に形成された第２の開口部８b2′には、気中用ケーブル６を貫通するように蓋状部材１０′が取り付けられている。
【０００９】
変圧器本体１から引き出された口出線５は貫通ブッシング７の変圧器側接続端子７a1′に接続され、地上から立ち上げられた気中用ケーブル６は貫通ブッシング７のダクト側接続端子７b1′に接続されている。
【００１０】
ダクト８′には、そのダクトの横方向が比較的長く、また、重量が相当大きくなるために、例えば、ブッシングポケット部８ａ′に図示しないダクト支持部材が設けられている。または、ダクト支持部材を採用しない場合、ブッシングポケット部８ａ′の肉厚の大きいものが用いられる。
【００１１】
このようなタンク２内に収容された変圧器本体１から引き出された口出線５と、地上から立ち上げられた気中用ケーブル６とが貫通ブッシング７を介して接続され、この気中用ケーブル６及び貫通ブッシング７を収納したダクト８′がタンク２′の側壁２ａ′側に設けられて構成されるエレファント形変圧器は、例えば、特許文献１に示されている。
【特許文献１】特開２０００−１３３５２３公報
【発明の開示】
【発明が解決しようとする課題】
【００１２】
上記のように構成されたダクトを、タンク２′内に収容された変圧器本体１の上部に電圧調整を行うための無電圧タップ切換器が設けられ、かつ、変圧器本体１の上部にタンク２′の内壁と無電圧タップ切換器とにより形成される空間に、変圧器本体１から引き出された口出線５と、地上から立ち上げられた気中用ケーブル６とを接続させる貫通ブッシング７′の変圧器側部７ａ′を収納するように貫通ブッシン７′グがタンク２′の側壁２ａ′を貫通して取り付けられたエレファント形変圧器に採用した場合には、変圧器として無駄な空間が生じると共に、その空間に絶縁油３が充填されているという問題が生じる。また、上記ダクト８′が複雑に構成されると共に、ダクト支持部材が設けられ、または、ブッシングポケット部８ａ′の肉厚の大きいものが用いられるために、ダクト８に係わる作業性が悪く、また、コストアップするという問題が生じる。
【００１３】
本発明の目的は、タンク内に収容された変圧器本体からの口出線と、地上から立ち上げられた気中用ケーブルとが貫通ブッシングを介して接続され、この気中用ケーブルを収納させるダクトの構成を簡素化した電圧調整機能を有するエレファント形変圧器を提供することにある。
【課題を解決するための手段】
【００１４】
第１の発明は、タンク内に収容された変圧器本体から引き出された口出線と、地上から立ち上げられた気中用ケーブルとが貫通ブッシングを介して接続され、気中用ケーブルを収納したダクトがタンクの側壁側に設けられたエレファント形変圧器を対象とし、変圧器本体の上部に電圧調整を行うための無電圧タップ切換器が設けられ、かつ、変圧器本体とタンクの内壁と無電圧タップ切換器とにより変圧器本体の上部に形成される空間に貫通ブッシングの変圧器側部を収納するように貫通ブッシングがタンクの側壁を貫通して取り付けられ、ダクトの壁面の一部がタンクの側壁と共用するようにダクトが形成され、ダクトがタンクの側壁に直接取り付けられるようにしたものである。
【発明の効果】
【００１５】
以上のように、第１の発明によれば、タンク内に収容された変圧器本体からの口出線と、地上から立ち上げられた気中用ケーブルとが貫通ブッシングを介して接続され、この気中用ケーブル及び貫通ブッシングを収納させるダクトの構成を簡素化したので、ダクトに係わる一連の作業を単純化することができ、また、コストアップを抑制することができる。さらに、変圧器として無駄な空間が生じさせることが防止できる。
【発明を実施するための最良の形態】
【００１６】
図１は電圧調整機能を有する本発明のエレファント形変圧器の実施形態を示す概略構成図である。図示するように、変圧器本体１がタンク２内に充填された絶縁油３と共に収容されている。この変圧器本体１は鉄心１ａ、コイル１ｂ、鉄心締付金具１ｃ等から構成されている。
【００１７】
無電圧タップ切換器４は、電圧調整を行うためのもので、変圧器本体１の上部に所定の空間が形成されており、この空間に配置されるように、鉄心締付金具１ｃを利用して変圧器本体１の上部に取り付けられている。
【００１８】
タンク２の上部には、変圧器本体１から引き出された３つの口出線５（図示では１つ）と、地上から立ち上げられた３つの気中用ケーブル６（図示では１つ）とを接続させるための３つの貫通ブッシング７（図示では１つ）が側壁２ａを貫通して取り付けられている。
【００１９】
貫通ブッシング７は、変圧器本体１とタンク２の内壁と無電圧タップ切換器４とにより、変圧器本体１の上部に形成される空間に貫通ブッシング７の変圧器側部７ａが収納されると共に、変圧器本体１とタンク２の内壁と無電圧タップ切換器４とから所定の絶縁距離が確保されるような位置が選定されて取り付けられる。
【００２０】
タンク２の側壁２ａの外側には、３つの気中用ケーブル６及び３つの貫通ブッシング７を一括収納させるダクト８が直接取り付けられている。このダクト８は例えば、直方体状に形成されており、タンク２側が全体に開口されてコの字状の第１の開口部８ａが形成されると共に、周縁にフランジが形成され、この開口部８ａがタンク２の側壁２ａにフランジ結合され、ボルト締めにより取り付けられている。なお、フランジには図示しないボルト貫通孔が適宜の間隔で設けられ、また、ボルト貫通孔と整合するように、タンク２の側壁２ａにスダッドボルトが取り付けられている。
【００２１】
ダクト８にはまた、地面側が全体に開口されてコの字状の第２の開口部８ｂが形成されており、この開口部８ｂには、気中用ケーブル６を貫通するように蓋状部材１０が取り付けられている。
【００２２】
変圧器本体１から引き出された口出線５は貫通ブッシング７の変圧器側接続端子７a1に接続され、地上から立ち上げられた気中用ケーブル６は貫通ブッシング７のダクト側接続端子７b1に接続されている。
【００２３】
このように構成すると、ダクト８の壁面の一部がタンク２の側壁と共用するようにダクト８が形成されるので、ダクト８に係わる一連の作業が単純化され、また、コストアップが抑制される。さらに、変圧器として無駄な空間が生じさせることがない。
【図面の簡単な説明】
【００２４】
【図１】電圧調整機能を有する本発明のエレファント形変圧器の実施形態を示す概略構成図である。
【図２】従来のエレファント形変圧器の概略構成図である。
【符号の説明】
【００２５】
１  変圧器本体
２  タンク
２ａ  タンクの側壁側
４  無電圧タップ切換器コイル
５  口出線
６  気中用ケーブル
７  貫通ブッシング
８  ダクト
【図１】
2006269873.tif 000003
【図２】
2006269873.tif 000004